(57)【特許請求の範囲】
【請求項１】
紙葉類の入出金に供される入出金部と、紙葉類の判別を行う紙葉類判別部と、入金された紙葉類を一時的に収納する一時保管庫と、複数の紙葉類収納庫と、前記各部に紙葉類を搬送する第一の紙葉類搬送路とを有する紙葉類取扱装置であって、
前記入出金部は、紙葉類を略水平状態で受渡す開口部と、紙葉類を略立位状態で収納する収納部と、前記開口部と前記収納部とを接続し、紙葉類を略立位状態と略水平状態とに互いに変更して搬送する、複数のベルトで構成される屈曲構造の第二の紙葉類搬送路を有する紙葉類取扱装置。
【請求項２】
請求項１記載の紙葉類取扱装置であって、前記第二の紙葉類搬送路は、前記収納部の上部に設けられることを特徴とする紙葉類取扱装置。
【請求項３】
請求項１記載の紙葉類取扱装置であって、前記第二の紙葉類搬送路は、前記収納部に対して取り外し可能となるように構成されることを特徴とする紙葉類取扱装置。
【請求項４】
請求項１記載の紙葉類取扱装置であって、前記入出金部は、前記収納部に収納された紙幣の挟持及び非挟持を切替える挟持手段を有する紙葉類取扱装置。
【請求項５】
請求項４記載の紙葉類取扱装置であって、前記各部を制御する制御部を有し、
前記制御部は、出金取引時に、前記挟持手段により挟持された紙幣を前記第二の紙葉類搬送路に搬送させることを特徴とする紙葉類取扱装置。
【請求項６】
請求項１記載の紙葉類取扱装置であって、前記各部を制御する制御部を有し、
前記入出金部は、さらに紙葉類を前記第一の紙葉類搬送路に繰出す繰出機構と、前記第一の紙葉類搬送路から搬送された紙幣を集積する集積機構と、前記収納部を仕切る仕切板を有し、
前記制御部は、前記繰出機構により繰出される紙幣と、前記集積機構により集積された紙幣とを分割するように、前記仕切板を移動させることを特徴とする紙葉類取扱装置。
【請求項７】
請求項１記載の紙葉類取扱装置であって、前記第二の紙葉類搬送路の装置前側又は後側に、紙葉類を受け取る場合に開状態となり、紙葉類に搬送力を付与する場合に閉状態となる開閉可能なローラを有することを特徴とする紙葉類取扱装置。
【請求項８】
請求項１〜７のいずれか一つに記載の紙葉類取扱装置を備える自動取引装置。
【発明の詳細な説明】
【技術分野】
【０００１】
本発明は、紙葉類取扱装置及び自動取引装置に関する。
【背景技術】
【０００２】
従来、金融機関などで使用される自動取引装置には、紙葉類取扱装置が実装されている。紙葉類取扱装置の例として、特許文献１には、入出金口から水平方向に投入した入金紙幣を収納部まで挟持搬送し、出金の際には収納部に集積した出金紙幣を、該入出金口にまで挟持搬送する構成が記載されている。
【０００３】
また、特許文献２には、利用者が入出金口越しに、略鉛直に配置された収納部に入金紙幣を直接投入または出金紙幣を収納部から直接取り出す、ポケット式の入出金装置が記載されている。
【０００４】
さらに、特許文献３には、利用者が投入した紙葉類を一時的に挟持した後、紙葉類を分離部まで搬送する入金装置が記載されている。
【先行技術文献】
【特許文献】
【０００５】
【特許文献１】特開２００５−２５９０８６号公報
【特許文献２】特開２０００−１７２９０３号公報
【特許文献３】特開平３−１９２０４９号公報
【発明の概要】
【発明が解決しようとする課題】
【０００６】
特許文献１において、紙幣端面が整列されていない様々なサイズの紙幣を一括で投入した場合、紙幣の分離の際にスキューした状態となり、搬送路に配置されている振り分けゲートに衝突するジャムや、収納部での集積不良による、次出金取引時の繰り出し不良、金種や真贋などの識別不能によるリジェクト等が発生する。また、紙幣束に硬貨などの異物が挟まれていた場合、紙幣と一緒に収納部まで搬送され、装置内の詰まりの原因となる。
【０００７】
特許文献２の場合、収納部が略鉛直に配置されているため、重力による紙幣端面の整列（及びスキューの修正）及び異物の除去が可能である。しかし、紙幣を授受するタイミングにおいて利用者が入出金口の奥の方まで手を挿入必要があるため、例えば入金自動機の普及していない国などにおいて、手を挿入する行為を心理的に怖がる可能性がある。従って、自動入出金装置が金融機関の利用者に受け入れられるために、入出金口の紙幣の授受性を改善する必要がある。
【０００８】
特許文献３の場合、入金専用の装置であり、リサイクル型（利用者から入金された紙幣を保管し、別の利用者の出金時に使用する方式）に対応していない。また、出金専用の装置（キャッシュディスペンサー）が主流となっている地域に、特許文献３に記載された装置を用いる場合、利用者に対して紙幣を水平に排出する出金専用の装置と、紙幣を立位にして投入する入金専用の装置とが混在した状況となり、デザイン性・操作性共に好ましくない。
【０００９】
そこで、本発明は、入出金装置の停止率及び紙幣リジェクト率の低減、紙幣束内の異物除去性の向上、利用者の操作性を向上、及び装置の信頼性の向上を目的とした紙葉類取扱装置、及び当該紙葉類取扱装置を備えた自動取引装置を提供することを目的とする。
【課題を解決するための手段】
【００１０】
上記の課題を解決するために、本発明では、紙葉類の入出金に供される入出金部と、紙葉類の判別を行う紙葉類判別部と、入金された紙葉類を一時的に収納する一時保管庫と、複数の紙葉類収納庫と、前記各部に紙葉類を搬送する第一の紙葉類搬送路とを有する紙葉類取扱装置であって、前記入出金部は、紙葉類を略水平状態で受渡す開口部と、紙葉類を略立位状態で収納する収納部と、前記開口部と前記収納部とを接続し、紙葉類を略立位状態と略水平状態とに互いに変更して搬送する第二の紙葉類搬送路を有することを特徴とする。
【発明の効果】
【００１１】
本発明によれば、紙幣ジャム等による入出金装置の停止率、スキューによるリジェクト率を低減させることを可能とする。また、紙幣束内の異物除去性の向上させたり、キャッシュディスペンサーの操作と類似させることで利用者の操作性を向上させる。さらに、装置の信頼性を向上させることができる。
【図面の簡単な説明】
【００１２】
【図１】自動取引装置の外観を示す斜視図。
【図２】自動取引装置の制御関係を示す制御ブロック図。
【図３】紙幣入出金機の制御関係を示す制御ブロック図。
【図４】紙幣入出金機の内部構成図。
【図５】入出金口機構の内部構成図。
【図６】入金計数動作時における入出金口機構の内部構成図。
【図７】入金計数動作時における入出金口機構の内部構成図。
【図８】入金計数動作時における入出金口機構の処理を示すフローチャート。
【図９】出金動作時における入出金口機構の内部構成図。
【図１０】出金動作時における入出金口機構の内部構成図。
【図１１】出金動作時における入出金口機構の内部構成図。
【図１２】出金動作時における入出金口機構の内部構成図。
【図１３】出金動作時における入出金口機構の処理を示すフローチャート。
【発明を実施するための形態】
【００１３】
本発明の一実施形態について、以下図面を用いて説明する。
図１は、自動取引装置１００の外観を示す斜視図である。自動取引装置１００は、上部正面板１００ａ及び装置筐体１００ｂに囲まれた装置である。この自動取引装置１００は、カード、紙幣、明細票、通帳を媒体とし、利用者の預入、支払、振込等の処理を行うことが可能である。また、自動取引装置１００は、銀行内に設置されるだけでなく、利用者が車に乗った状態で操作可能な環境（ドライブスルー環境）にも対応可能である。
【００１４】
装置筐体１００ｂの下部内部には、紙幣入出金機（紙葉類取扱装置）１０１を備えている。紙幣入出金機１０１は、紙幣を処理する装置であり、上部正面板１００ａに設けられた紙幣スロット（紙幣を受渡す開口部）１０１ａを介して紙幣の入出金が行われる。また、紙幣入出金機１０１の下部の紙幣収納部は、装置筐体１００ｂとは別の数十ｍｍの厚い鉄板で構成された、金庫筐体１０１ｂで囲まれている。金庫筐体１０１ｂを、装置筐体１００ｂよりも更に堅固な構造とすることにより、紙幣入出金機１０１のセキュリティ性を高めている。
【００１５】
装置筐体１００ｂの上部内部には、カード・明細票処理装置１０２、利用者操作部１０３、通帳取扱装置１０４を備えている。カード・明細票処理装置１０２は、上部正面板１００ａに設けられたカードスロット１０２ａを介して、利用者のカードを処理し、取引明細票を印字して放出する。利用者操作部１０３は、取引の内容を表示する表示部および利用者が操作する操作部（タッチパネル等）を兼ねている。通帳取扱装置１０４は、上部正面板１００ａに設けられた通帳スロット１０４ａを介して、利用者の通帳の取り込み、印字、放出をする。
【００１６】
図２は、自動取引装置１００の制御関係を示す制御ブロック図である。
自動取引装置１００は、上述した紙幣入出金機１０１、カード・明細票処理機構１０２、利用者操作部１０３、通帳取扱装置１０４の他に、インターフェース部１０５、係員操作部１０６、外部記憶装置１０７、本体制御部１０８、バス１０９、電源部１１０を備えている。係員操作部１０６は、装置の保守内容を表示する表示部および係員が操作する操作部（タッチパネル等）を兼ねている。外部記憶装置１０７は自動取引装置１０１の記憶部であり、例えば、メモリやハードディスク等である。本体制御部１０８は、自動取引装置の各部を制御するＣＰＵ等である。バス１０９は、本体制御部１０８と自動取引装置の各部との接続部であり、必要なデータの通信を行う。電源部１１０は、本体制御部１０８を含む自動取引装置の各部に電力を供給する。
【００１７】
図３は、主に紙幣入出金機１０１の制御関係を示す制御ブロック図である。
【００１８】
紙幣入出金機１０１に設けられた制御部３５は、装置の本体制御部１０８とバス１０９を介して接続され、本体制御部１０８からの指令および紙幣入出金機１００の状態検出に応じて紙幣入出金機１００の制御を行い、また、紙幣入出金機１００の状態を、必要に応じて本体制御部１０８に送る。紙幣入出金機１００の中では、各ユニット（入出金口機構２０、紙幣判別部３０、一時保管庫４０、紙幣搬送路５０、入金庫６０、取忘回収庫６１、偽券回収庫６２、リジェクト庫６３、出金庫７０、リサイクル庫８０、装填・回収庫８１）の駆動モータや電磁ソレノイドやセンサと接続され、取引に応じて、センサで状態を監視しながら、アクチュエータを駆動制御する。
【００１９】
図４は、紙幣入出金機１０１の構成を示す内部構成図である。
【００２０】
紙幣入出金機１０１は、紙幣の入出金に供される入出金口機構２０と、紙幣の判別を行う紙幣判別部３０と、入金された紙幣を取引成立までの間一時的に収納する一時保管庫４０と、入金時取引が成立した紙幣を収納する入金庫６０と、利用者が入金時および出金時に取り忘れた紙幣を回収する取忘回収庫６１と、偽券と判別された紙幣を収納する偽券回収庫６２と、出金に不適切な紙幣を収納するリジェクト庫６３と、出金用の紙幣を収納する複数（図４では二つ）の出金庫７０と、入出金兼用の複数（図４では二つ）のリサイクル庫８０と、リサイクル庫８０に補充する紙幣や、リサイクル庫から回収した紙幣を収納する装填・回収庫８１とを備えている。また、これらの各部に対して紙幣を搬送する紙幣搬送路５０１ａ〜ｑ、９０１ａ〜ｅ、及び９０２ａ〜ｅと、紙幣搬送路の切替ゲート５０２〜５０７及び９０３ａ〜ｅと、及び制御部（図示せず）とを備えている。
【００２１】
入出金口機構２０の上部は、紙幣の突出方向を装置の上下方向から前後方向（図４の左右方向）に変換させる搬送ユニットＡを備えている。搬送ユニットＡの具体的な構成については、後述する。
【００２２】
入金庫６０、出金庫７０、及びリサイクル庫８０は、共通の外形かつ紙幣の入口（又は出口、出入口）が同一の位置に設けられているため、相互に配置を変更することが可能である。これらの共通構造を有する入金庫６０、出金庫７０、及びリサイクル庫８０を、説明の便宜上「紙幣収納庫」とする。複数の紙幣収納庫は、内部に複数の収納部を設けることが可能である。また、図４に示すように、紙幣収納庫を前後方向（図４の左右方向）に配置させるだけでなく、上下方向に積層して配置させても良い。これらの構成により、多くの金種を紙幣入出金機１０１で取扱うことが可能であり、多様な運用に適用することが可能となる。
【００２３】
紙幣入出金機１０１は、上部紙幣機構１０１Ｕと下部紙幣機構１０１Ｌとに分割される。上部紙幣機構１０１Ｕには、入出金口機構２０と、紙幣判別部３０と、一時保管庫４０と、取忘回収庫６１と、偽券回収庫６２と、装填・回収庫８１と、紙幣搬送路５０１ａ〜ｈ、５０１ｊ〜ｑ及び切替ゲート５０２〜５０７とを備えている。また、下部紙幣機構１０１Ｌには、入金庫６０と、リジェクト庫６３と、出金庫７０と、リサイクル庫８０と、紙幣搬送路５０１ｉ、９０１ａ〜ｅ及び９０２ａ〜ｅと、振分けゲート９０３ａ〜ｅとを備えている。
【００２４】
下部紙幣機構１０１Ｌは、約５０ｍｍ程度の厚い鉄板で構成される金庫筐体１０１ｂの中に実装されており、上部紙幣機構１０１Ｕと下部紙幣機構１０１Ｌとの搬送路は、連結搬送路５０１ｈおよび５０１ｉで接続されている。
【００２５】
紙幣入出金機１０１の紙幣搬送路について説明する。上述の通り、紙幣搬送路５０１ａ〜ｑ、９０１ａ〜ｅ及び９０２ａ〜ｅは、入出金口機構２０と、紙幣判別部３０と、一時保管庫４０と、入金庫６０と、取忘回収庫６１と、偽券回収庫６２と、リジェクト庫６３と、出金庫７０と、リサイクル庫８０と、装填・回収庫８１とを接続している。紙幣搬送路５０１ａ〜ｑ、９０１ａ〜ｅ及び９０２ａ〜ｅを示す矢印は、紙幣の搬送方向である。矢印が片方向である場合、紙幣がその矢印方向にのみ搬送される一方向紙幣搬送路である。一方、矢印が両方向である場合、紙幣が双方向に搬送される双方向搬送路である。
【００２６】
これらの紙幣搬送路５０１ａ〜ｑ、９０１ａ〜ｅ及び９０２ａ〜ｅは、駆動モータ（図示せず）により駆動され、取引動作毎にモータの回転方向を切り替える。また、紙幣搬送路５０１ａ〜ｑ、９０１ａ〜ｅ及び９０２ａ〜ｅの分岐点には、切替ゲート５０２〜５０７及び９０３ａ〜ｅを備えている。これらの切替ゲートは、取引動作に応じて、実線又は点線で示すように紙幣搬送方向を切り替える。
【００２７】
下部紙幣機構１０１Ｌとの連結搬送路５０１ｈは、紙幣搬送路５０１ｇに連結する位置に設けられる。また、上部紙幣機構１０１Ｕとの連結搬送路５０１ｉは、紙幣搬送路９０１ａに連結する位置に設けられる。これらの連結搬送路５０１ｈ及び連結搬送路５０１ｉは、相互に連結する位置に設けられている。金庫筐体１０１ｂの上面鉄板に設けられたスリットは、紙幣が通過するための長さと該スリットに搬送されてきた紙幣を挟持して繰り出すよう取り付けられたに搬送プーリの幅の大きさを有する。なお、下部紙幣機構１０１Ｌを金庫筐体１０１ｂで囲わない構成を取る場合、下部紙幣機構１０１Ｌ上に直接上部紙幣機構１０１Ｕが載置されていれば良い。搬送路の駆動源（モータ）は、上部紙幣機構１０１Ｕの搬送路と下部紙幣機構１０１Ｌの搬送路で別々に設けても良いが、単一の駆動源を用い、駆動力を搬送路５０１ｇ−５０１ｈ−５０１ｉ−９０１ａ間に設けられたギヤで伝達するようにしても良い。
【００２８】
入金庫６０、出金庫７０、及びリサイクル庫８０のいずれかと接続し、これら入金庫６０、出金庫７０、及びリサイクル庫８０の上面に設けている紙幣搬送路９０３ａ〜ｅは開閉可能な構成であり、入金庫６０、出金庫７０、及びリサイクル庫８０の装置外部への取出しや、ジャム紙幣の除去が容易となる。また、装填・回収庫８１は任意であり、運用次第では設けなくても良い。
【００２９】
以上のような構成により、紙幣入出金機１０１は、紙幣の入出金動作、装填・回収動作、取忘れ紙幣の回収動作を実施する。以下、それぞれの動作について説明する。
【００３０】
最初に、紙幣の入出金動作について説明する。紙幣の入出金動作は、利用者により投入された紙幣を紙幣入出金機に入金する動作（入金動作）と、紙幣入出金機に収納された紙幣を利用者に対して出金する動作（出金動作）とに分けられる。また、入金動作は、利用者により投入された紙幣を計数する動作（入金計数動作）と、計数された紙幣を入金庫６０、リジェクト庫６３、及びリサイクル庫８０に収納する動作（入金収納動作）とに分けられる。
【００３１】
以下、入金計数動作について説明する。紙幣入出金機１０１は、入出金口機構２０に投入された紙幣を、一枚ずつ分離する。その後、分離した紙幣を、紙幣搬送路５０１ａ〜ｄを経由させ、紙幣判別部３０で金種及び真偽を判別する。紙幣の金種及び真偽が判別できた場合は、切替ゲート５０３の切替え等により、紙幣搬送路５０１ｅ、ｆを経由させ、紙幣を一時保管庫４０に一時的に収納する。紙幣の金種及び真偽が判別できなかった場合や、傾き異常や紙幣同士の間隔異常となった場合は、一時保管庫４０に搬送せず、当該紙幣を入金リジェクト紙幣として処理する。このとき、切替ゲート５０３の切替え等により、紙幣搬送路５０１ｅ、ｊを経由させ、紙幣を入出金口機構２０に搬送し、利用者に返却する。また、紙幣を偽券と判別した場合は、切替ゲート５０３の切替え等により、紙幣搬送路５０１ｅ、ｍ、ｏ、ｐを経由させ、紙幣を偽券回収庫６２に収納する。
【００３２】
以下、入金収納動作について詳細に説明する。入金計数動作の後に取引が確定された場合、一時保管庫４０に収納された紙幣を、切替ゲート５０３の切替え等により、紙幣搬送路５０１ｆ、ｅ、ｄを経由させ、紙幣判別部３０を通過させる。その後、切替ゲート５０２の切替え等により、紙幣搬送路５０１ｃ、ｂ、ｇ、ｈ、ｉを経由させ、紙幣を入金庫６０、リジェクト庫６３、及びリサイクル庫８０のいずれかに収納する。このとき、紙幣搬送路９０１ａ〜ｅ及び９０２ａ〜ｅ及び切替ゲート９０３ａ〜ｅを制御し、紙幣判別部３０の判別結果に対応した収納庫に紙幣を収納する。なお、偽券回収庫６２に収納された偽券を、入金収納動作時にリジェクト庫６３に収納しても良い。これらの入金収納動作の完了により、入金動作が終了する。
【００３３】
以下、出金動作について説明する。紙幣入出金機１０１は、出金庫７０及びリサイクル庫８から所定枚数の紙幣を繰り出し、紙幣搬送路９０１ａ〜ｅ及び９０２ａ〜ｅ、５０１ｉ、ｈ、ｇ、ｂ、ｃ、ｄを経由させ、紙幣判別部３０で金種を判別する。その後、切替ゲート５０３の切替え等により、紙幣を入出金口機構２０に搬送し、利用者に対して紙幣を出金する。このとき、後述するように、搬送ユニットＡを経由した出金紙幣は、自動取引装置１００の上部正面板１００ａよりも突出させた状態とすることにより、キャッシュディスペンサーにおける出金紙幣の状態と類似させることを可能としている。
【００３４】
次に、紙幣の装填・回収動作について説明する。紙幣の装填・回収動作は、係員により装填・回収庫８１に一括して装填された紙幣をリサイクル庫８０に収納する動作（装填動作）と、リサイクル庫８０が満杯になったとき等に、リサイクル庫８０に収納された所定枚数の紙幣を装填・回収庫８１に回収する動作（回収動作）とに分けられる。装填動作における紙幣の搬送と、回収動作における紙幣の搬送とは、互いに逆方向のルートであるが、詳細な説明は省略する。なお、装填動作・回収動作においてリジェクト紙幣が発生した場合、当該リジェクト紙幣をリジェクト庫６３に収納しても良いし、装填・回収庫８１に設けられた装填リジェクト部に収納しても良い。
【００３５】
次に、取忘れ紙幣の回収動作について説明する。取忘れ紙幣の回収動作とは、入金動作における入金リジェクト紙幣や出金紙幣が、入出金口機構２０に残った場合（利用者による取り忘れが発生した場合）に、当該紙幣を回収する動作である。入金リジェクト紙幣や出金紙幣が入出金口機構２０に収納された状態のまま、所定時間が経過した場合、入出金口機構２０に収納された紙幣を一枚ずつ分離する。その後、分離した紙幣を、紙幣搬送路５０１ａ〜ｅ、ｍ、ｎを経由させ、取忘回収庫６１に収納する。
【００３６】
以下、図５を用いて、本実施形態における入出金口機構２０の構成を詳細に説明する。
入出金口機構２０の上部には、搬送ユニットＡを設けている。この搬送ユニットＡは、入出金口機構２０の下部と図示しない連結部材により連結されており、当該連結部材を外すことにより、着脱可能な構成である。
【００３７】
入出金口機構２０は、上部正面板１００ａの紙幣スロット１０１ａの内側に設けられている。入出金口機構２０の出入口には、開口部２０ａが設けられており、当該開口部２０ａを介して、紙幣を装置の前後方向（図５の左右方向）に入出金可能となるように構成されている。開口部２０ａの後方には、アクチュエータＭ１によって、装置の上下方向（図５の上下方向、矢印参照）へスライドして開閉するシャッタ２０１が設けられている。
【００３８】
シャッタ２０１の後方には、入金紙幣を受け止めるストッパ２０２を設けている。ストッパ２０２は、アクチュエータＭ２によって、装置の上下方向（矢印参照）へスライドして開閉するように構成する。これにより、ストッパ２０２を使用しない場合に、搬送された紙幣と衝突しない位置に退避する事が可能である。また、シャッタ２０１とストッパ２０２との距離を、装置が取扱可能な紙幣の短手方向の長さより短く構成することにより、利用者が入金紙幣を投入する際に、手指を差し入れる不安を排除することが可能である。
【００３９】
また、シャッタ２０１の後方には、装置後方下側に紙幣を搬送する紙幣搬送路２０３を設けている。紙幣搬送路２０３は、後述する収納部２０５との間で紙幣を搬送する。紙幣搬送路２０３は、上ベルト２０３ａと下ベルト２０３ｂとから構成されており、それぞれ装置幅方向に複数のベルトが配置される。
【００４０】
紙幣搬送路２０３の装置前側には、ばね等の弾性部材により矢印方向に付勢され、図示しないアクチュエータで開閉可能な前ローラ２０３ｃが配置されている。また、紙幣搬送路２０３の装置後側には、ばね等の弾性部材により矢印方向に付勢され、図示しないアクチュエータで開閉可能な後ローラ２０３ｄが配置されている。いずれのローラも、閉状態である場合に弾性部材の弾性力による搬送力を紙幣に付与し、開状態である場合に紙幣を受け取ることが可能である。
【００４１】
紙幣搬送路２０３の後方下側には、後板２０４ａ、前板２０４ｂ、底板２０４ｃで構成される収納部２０５が設けられている。後板２０４ａは、紙幣を受け入れる時の位置（図中実線、以下入金位置とする）、装置内からの出金紙幣を集積する時の位置（図中破線、以下取込位置とする）があり、図示しないアクチュエータで矢印２１３方向に動く。また、前板２０４ｂも同様に、入金位置（図中実線）及び取込位置（図中破線）があり、図示しないリンク等で移動する。後板２０４ａ及び前板２０４ｂを任意の位置まで動作、停止するように制御することにより、収納部２０５内の紙幣に対して、適度な押圧力を掛けることが可能となる。また、底板２０４ｃには、スリットが設けられている。このスリットを通過した異物は、底板２０４ｃの下側に設けられた異物受箱２０６に集積される。
【００４２】
後板２０４ａ及び前板２０４ｂにより適度な押圧力を掛けられた紙幣は、ピックローラ２０７ａに一枚ずつピックされ、分離ローラ２０７ｂにより、矢印Ｘ方向に取り込まれ、紙幣搬送路５０１ａに搬送される。ゲートローラ２０７ｃは、分離ローラ２０７ｂとオーバーラップすることにより、繰出時における紙幣の重送を防止している。また、スタックローラ２０８は、矢印Ｙ方向から搬送された入金リジェクト紙幣及び出金紙幣を収納部２０５に搬送するローラである。
【００４３】
入金計数処理時において、入金リジェクト紙幣が発生した場合、収納部２０５の内部において、未計数の紙幣（分離前の紙幣）と入金リジェクト紙幣とを分離する必要がある。仕切板２０９は、収納部２０５を仕切る板であり、当該仕切板２０９の前後で、未計数の紙幣と入金リジェクト紙幣とが分離される。仕切板２０９は、後板２０４ａの移動方向と同じ方向に、図示しないアクチュエータで動作可能である。
【００４４】
以下、挟持手段である前クランプ２１０及び後クランプ２１１の構成について説明する。
前クランプ２１０は、アクチュエータＭ１を駆動源として、駆動ベルトを介して、搬送プーリと同期して駆動される。前クランプの駆動ベルトは、装置幅方向に２本のベルトにて構成されている。また、前クランプ２１０は、紙幣の取込位置（図中実線）と退避位置（図中破線）との間を、図示しないアクチュエータにより回転駆動される。
【００４５】
後クランプ２１１は、紙幣の取込位置（図中実線）と退避位置（図中破線）との間を、図示しないアクチュエータにより装置の前後方向にスライド駆動される。図示しないアクチュエータを駆動源として、また、後クランプ２１０の下側の搬送プーリは、上側の搬送プーリの軸を支点として矢印方向に動くことが可能である。後クランプ２１１は、紙幣と接触していない場合、図示しないばね等の弾性部材により、装置前方に付勢されている。一方、紙幣と接触している場合、接触している紙幣の厚さに応じて、装置後方に移動し、紙幣束に対して押圧力を付与する。
【００４６】
また、入出金口機構２０は、各々複数対で構成される光学式センサＳ１〜Ｓ６を設けており、センサ光軸を遮ったダーク状態を検出することにより、紙幣の位置を検出する。
【００４７】
以下、図６〜図１３を用いて、本実施形態における入出金口機構２０の動作を詳細に説明する。入出金口機構２０は、入金計数動作の際は、図６〜図８に示す動作及び処理を行い、出金動作（又は入金紙幣の返却動作）の際は、図９〜図１３に示す動作及び処理を行う。
【００４８】
図６及び図７は、入金計数動作における入出金口機構２０の状態を示す図である。また、図８は、入金計数動作における入出金口機構２０のフローチャートである。
最初に、制御部３５は、後板２０４ａ及び前板２０４ｂを入金位置に移動させる（Ｓ１０１、Ｓ１０２）。なお、Ｓ１０１及びＳ１０２の順序は逆としても良い。続いて、制御部３５は、前クランプ２１０及び後クランプ２１１を退避位置に移動させる（Ｓ１０３、Ｓ１０４）。なお、Ｓ１０３及びＳ１０４の順序は逆としても良い。続いて、制御部３５は、ストッパ２０２を入金位置（装置上方）に移動させ（Ｓ１０５）、前ローラ２０３ｃを開位置にした後（Ｓ１０６）、シャッタ２０１を開位置となるように装置下方に移動させる（Ｓ１０７）。図６は、Ｓ１０７まで完了後、利用者により紙幣が入金された状態を示す図である。
【００４９】
図６に示した状態の後、制御部３５は、センサＳ４により紙幣を検出後（Ｓ１０８：ＹＥＳ）、紙幣搬送路２０３を、図６で示す矢印方向に駆動させる（Ｓ１０９）。続いて、センサＳ５により搬送された紙幣を検出後（Ｓ１１０：ＹＥＳ）、制御部３５は、紙幣搬送路２０３の駆動を一旦停止させる（Ｓ１１１）。また、制御部３５は、前ローラ８００を閉位置に移動させ（Ｓ１１２）、ストッパ２０２を退避位置となるように装置下方に移動させる（Ｓ１１３）。その後、制御部３５は、紙幣搬送路２０３を再駆動させることにより、紙幣２１８を収納部２０５方向に搬送させる（Ｓ１１４）。後ローラ２０３は、紙幣搬送路２０３側に閉じた状態であるが、紙幣そのまま搬送され、収納部２０５に投入される。センサＳ１〜Ｓ３により収納部２０５に紙幣が到達したことを検出後（Ｓ１１５：ＹＥＳ）、制御部３５は、紙幣搬送路２０３の駆動を停止させる（Ｓ１１６）。図７は、Ｓ１１６まで完了後、紙幣が収納部２０５に収納された状態を示す図である。その後、制御部３５は、ピックローラ２０７ａ、分離ローラ２０７ｂ及びゲートローラ２０７ｃによる紙幣の分離を開始させ、図７で示す矢印Ｘ方向に紙幣を搬送させる（Ｓ１１７）。
【００５０】
利用者によって投入された紙幣は、ストッパ２０２により姿勢を補正される。また、搬送途中に紙幣がスキューした状態になったとしても、収納部２０５において、紙幣が立位状態で集積されるため、収納部２０５の底板２０４ｃに突き当たった時にはスキューは修正される。さらに、紙幣内に硬貨等の異物が紛れ込んでいたとしても、その異物は垂直方向に配置された異物受箱２０６に重力によって集積される。
【００５１】
図９〜図１２は、出金動作における入出金口機構２０の状態を示す図である。また、図１３は、出金動作における入出金口機構２０のフローチャートである。
最初に、制御部３５は、後板２０４ａを取込位置（装置前方）に移動させ（Ｓ３０１）、前クランプ２１０及び後クランプ２１０を収納部２０５の外側に退避した状態に、後ローラ２０３ｄを開位置（紙幣搬送路２０３から離れた側）に、前ローラ２０３ｃを閉位置（紙幣搬送路２０３側）に、ストッパ２０２を退避位置（装置下側）に、それぞれ移動させる（Ｓ３０２、３０３、３０４、３０５、３０６）。なお、Ｓ３０１〜３０６の順序は任意とする。
【００５２】
その後、図９で示すように、制御部３５は、矢印Ｙ方向から搬送された出金紙幣を、収納部２０５に集積する（Ｓ３０７）。出金紙幣の集積後、制御部３５は、前クランプ２１０、後クランプ２１１、及び後板２０３ａを移動させ（Ｓ３０８、Ｓ３０９）、紙幣を挟持する（Ｓ３１０）。なお、Ｓ３０８及びＳ３０９の順序は逆としても良い。図１０は、Ｓ３１０まで完了後、紙幣が挟持された状態を示す。
【００５３】
前クランプ２１０及び後クランプ２１１により挟持された紙幣は、前後クランプ各々のクランプベルトにより、紙幣を収納部２０５より突き出し、紙幣搬送路２０３に搬送される（Ｓ３１１）。図１１は、Ｓ３１１まで完了後、紙幣が紙幣搬送路２０３に搬送された状態を示す。
【００５４】
センサＳ６により、紙幣搬送路２０３への紙幣が到達したこと検出後（Ｓ３１２：ＹＥＳ）、制御部３５は、前クランプ２１０及び後クランプ２１１の駆動を停止させる（Ｓ３１３）。その後、制御部３５は、後ローラ２０３ｄを閉位置に移動させ（Ｓ３１４）、前クランプ２１０、後クランプ２１１及び紙幣搬送路２０３を駆動させ、紙幣をシャッタ２０１及びストッパ２０２方向に搬送させる（Ｓ３１５）。センサＳ４により紙幣を検出後（Ｓ３１６：ＹＥＳ）、制御部３５は、前クランプ２１０、後クランプ２１１及び紙幣搬送路２０３を停止させ（Ｓ３１７）、シャッタ２０１を開く（Ｓ３１８）。その後、制御部３５は、紙幣搬送路２０３を再度駆動させ（Ｓ３１９）、紙幣を開口部２０ａから突出させ、搬送路２０３を停止させる（Ｓ３２０）。図１２は、Ｓ３２０まで完了後、紙幣が開口部２０ａから突出した状態を示す。センサＳ４により紙幣が抜き取られたこと（センサがライト状態になること）を検出後（Ｓ３２１：ＹＥＳ）、制御部３５は、シャッタ２０１を閉じる（Ｓ３２２）。
【００５５】
なお、入金リジェクト紙幣が発生した場合も出金動作と同様の処理を行う。入金リジェクト紙幣が発生し、何らかの理由で紙幣の分離が停止した場合、入金リジェクト紙幣と未分離の紙幣が仕切り板２０９の前後に存在することになる。この場合、仕切板２０９を跨いだ状態で、前クランプ２１０及び後クランプ２１１により挟持された紙幣は、収納部２０５から突出させた状態で紙幣搬送路２０３に受け渡され、開口部２０ａまで搬送される。
【００５６】
以上のように、紙幣を立位方向で分離、集積する収納部の上側に紙幣束を一括で搬送する搬送路を設け、その搬送路は利用者操作面に水平に突出させることで、利用者の操作性がよく、かつ、様々なサイズ、姿勢でセットされた紙幣束の端面を整列させ、スキューを防止させて取り込むことができるので、その後の分離、搬送、識別、集積といった各動作において、ジャムやリジェクトを防止することができ、信頼性の高い装置を提供することができる。また、紙幣束に入り込んだ硬貨などの除去性のよい装置を提供することができる。
【００５７】
また、紙幣投入前は、ストッパで紙幣束を整列させることができるので、スキューを防止することができ、搬送性能のよい装置を提供することができる。
【００５８】
また、本装置を採用することで、キャッシュディペンサーから放出される紙幣、カード、レシート等の媒体の授受の方向と、本装置の紙幣の入出金紙幣の授受の方向が同じになり、利用者によって、操作性の良い装置を提供することができる。
【００５９】
さらに、収納部上側の搬送ユニットは収納部から取り外しができるため、水平に紙幣を授受する必要のない場合は、搬送ユニットを取り外すことで、収納部内のクランプにおいて利用者と紙幣を授受することが可能となり、よりコンパクトで信頼性の高い装置を提供できる。
【符号の説明】
【００６０】
２０：入出金口機構、１０１：紙幣入出金機、１０１ａ：紙幣スロット、１０１ｂ：金庫筐体、１０１Ｕ：上部紙幣機構、１０１Ｌ：下部紙幣機構、２０１：シャッタ、２０２：ストッパ、２０３：紙幣搬送路、２０５：収納部、２０６：異物受箱、２０９：仕切板、２１０：前クランプ、２１１：後クランプ
【図１】
0005795990.tif 000002
【図２】
0005795990.tif 000003
【図３】
0005795990.tif 000004
【図４】
0005795990.tif 000005
【図５】
0005795990.tif 000006
【図６】
0005795990.tif 000007
【図７】
0005795990.tif 000008
【図８】
0005795990.tif 000009
【図９】
0005795990.tif 000010
【図１０】
0005795990.tif 000011
【図１１】
0005795990.tif 000012
【図１２】
0005795990.tif 000013
【図１３】
0005795990.tif 000014